(57)【要約】【課題】  医療用機関のカルテファイルなどのファイル管理に使用されるインデックスに関して、必要な時に１枚ずつ印刷することができて、無駄が発生しないインデックス用紙、インデックス作成方法及び装置、並びにインデックスを提供すること。【解決手段】  ロール状のインデックス用紙１であって、ロール巻き出し方向に沿って、印刷領域Ａ，Ｂ，Ｃを隔成する折り畳み用のミシン目３，４が幅方向に所定間隔をおいて複数個、平行に刻設されている。【選択図】        図１
2007118384.tif 000002
【特許請求の範囲】
【請求項１】
ロール状のインデックス用紙であって、ロール巻き出し方向に沿って、印刷領域を隔成する折り畳み用のミシン目が幅方向に所定間隔をおいて複数個、平行に刻設されていることを特徴とするインデックス用紙。
【請求項２】
少なくともいずれかの端側にある折り畳み用のミシン目と端間に切り離し用のマイクロミシン目が折り畳み用のミシン目と平行に刻設されている請求項１記載のインデックス用紙。
【請求項３】
請求項１又は請求項２に記載のインデックス用紙からカルテに用いるインデックスを作成する方法であって、ロール状のインデックス用紙を印刷用プリンタに装着し、該プリンタと接続したコンピュータから患者の氏名、住所、電話番号などの情報にカルテ番号などのファイル識別番号を関連付けて、患者情報としてデータベースに登録している情報をインデックス用紙の所定領域に出力して印刷し、印刷後に該所定領域を残してそのロール巻き出し側の端部をプリンタに備えたカッタで切断してインデックスを作成することを特徴とするインデックス作成方法。
【請求項４】
印刷に際して、所定領域にファイル識別番号を印刷するとともに、所定の方式に従って決定される色を着色する請求項３記載のインデックス作成方法。
【請求項５】
請求項１又は請求項２に記載のインデックス用紙からカルテに用いるインデックスを作成する装置であって、患者の氏名、住所、電話番号などの情報にカルテ番号などのファイル識別番号を関連付けて、患者情報として登録しているデータベースを有するコンピュータと、カッタを備えて前記コンピュータに接続されたプリンタとを具え、このプリンタは、データベースから患者情報を抽出した前記コンピュータからの指令により、該患者情報を前記インデックス用紙の所定領域に出力して印刷し、印刷後に該所定領域を残してそのロール巻き出し側の端部を前記カッタにより切断することを特徴とするインデックス作成装置。
【請求項６】
請求項１又は請求項２に記載のインデックス用紙からカルテ用に作成されるインデックであって、ロール巻き出し方向の前後が所定間隔をおいて切断されて長方形状の小片に形成され、この小片の印刷領域に患者の氏名、住所、電話番号などの情報にカルテ番号などのファイル識別番号を関連付けて、患者情報としてデータベースに登録している情報が印刷され、かつ必要な印刷領域にはさらに色が着色印刷されていることを特徴とするインデックス。
【発明の詳細な説明】
【技術分野】
【０００１】
この発明は、病院等で用いられるカルテや事務用カードなど各種の書類に使用されるインデックス用紙、インデックス作成方法及び装置、並びにインデックスに関するものである。
【背景技術】
【０００２】
従来、カルテ用に使用されるインデックス用紙は、Ａ４サイズの用紙からなり、縦横に略長方形状のインデックスとなる部分がミシン目及び／又はマイクロミシン目により複数個形成されている。そのため、このインデックス用紙からインデックスを作成するには、前記インデックスとなる部分へプリンタで印刷を行なった後、マイクロミシン目で個々のインデックスとなる部分を切り離しており、このようにして作成したインデックスをカルテ用ファイルの見出し部に挿入して使用している（特許文献１）。
【０００３】
しかし、特許文献１のようなインデックス用紙は、縦横に繋がった複数個のインデックスとなる部分で構成されているため、例えば、病院で新規に患者のカルテ用ファイルを作成する場合には、会計後等に、１枚のインデックス用紙から取れるインデックスの枚数分をまとめて作成しなければならず、患者の受付時等にその場でカルテを作成することができなかった。
【０００４】
また、必ずしも、インデックス用紙内のインデックス枚数と患者数とが一致する訳ではないので、インデックス用紙内には未使用のインデックスが発生する場合もあり、一度切り離されたインデックスにプリンタで再印刷することはできないため、無駄が多かった。
【０００５】
【特許文献１】実用新案登録第３１０１１７２号公報
【発明の開示】
【発明が解決しようとする課題】
【０００６】
そこでこの発明は、前記従来のものの問題点を解決し、必要な時に１枚ずつ印刷することができて、無駄が発生しないインデックスを作成することができるインデックス用紙、インデックス作成方法及び装置、並びにインデックスを提供することを目的とする。
【課題を解決するための手段】
【０００７】
前記課題を解決するために、請求項１に記載のインデックス用紙の発明は、ロール状のインデックス用紙であって、ロール巻き出し方向に沿って、印刷領域を隔成する折り畳み用のミシン目が幅方向に所定間隔をおいて複数個、平行に刻設されていることを特徴とする。
【０００８】
請求項２に記載のインデックス用紙の発明は、請求項１において、少なくともいずれかの端側にある折り畳み用のミシン目と端間に切り離し用のマイクロミシン目が折り畳み用のミシン目と平行に刻設されていることを特徴とする。
【０００９】
請求項３に記載のインデックス作成方法の発明は、請求項１又は請求項２に記載のインデックス用紙からカルテに用いるインデックスを作成する方法であって、ロール状のインデックス用紙を印刷用プリンタに装着し、該プリンタと接続したコンピュータから患者の氏名、住所、電話番号などの情報にカルテ番号などのファイル識別番号を関連付けて、患者情報としてデータベースに登録している情報をインデックス用紙の所定領域に出力して印刷し、印刷後に該所定領域を残してそのロール巻き出し側の端部をプリンタに備えたカッタで切断してインデックスを作成することを特徴とする。
【００１０】
請求項４に記載のインデックス作成方法の発明は、請求項３において、印刷に際して、所定領域にファイル識別番号を印刷するとともに、所定の方式に従って決定される色を着色することを特徴とする。
【００１１】
請求項５に記載のインデックス作成装置の発明は、請求項１又は請求項２に記載のインデックス用紙からカルテに用いるインデックスを作成する装置であって、患者の氏名、住所、電話番号などの情報にカルテ番号などのファイル識別番号を関連付けて、患者情報として登録しているデータベースを有するコンピュータと、カッタを備えて前記コンピュータに接続されたプリンタとを具え、このプリンタは、データベースから患者情報を抽出した前記コンピュータからの指令により、該患者情報を前記インデックス用紙の所定領域に出力して印刷し、印刷後に該所定領域を残してそのロール巻き出し側の端部を前記カッタにより切断することを特徴とする。
【００１２】
請求項６に記載のインデックスの発明は、請求項１又は請求項２に記載のインデックス用紙からカルテ用に作成されるインデックであって、ロール巻き出し方向の前後が所定間隔をおいて切断されて長方形状の小片に形成され、この小片の印刷領域に患者の氏名、住所、電話番号などの情報にカルテ番号などのファイル識別番号を関連付けて、患者情報としてデータベースに登録している情報が印刷され、かつ必要な印刷領域にはさらに色が着色印刷されていることを特徴とする。
【発明の効果】
【００１３】
この発明によれば、前記のような構成からなるので、ロール状のインデックス用紙から必要な時に管理する１ファイル毎に所定領域に必要な情報が印刷されたインデックスを１枚ずつ印刷することができ、インデックス用紙の無駄が発生しない。また、折り畳み用のミシン目で印刷領域が隔成されているため、必要とされる印刷領域を上にして折り畳むことが容易にでき、折り畳み方次第で表に見える印刷領域が変わり、様々なファイル保管ニーズに応えられ、汎用性が増す。
【発明を実施するための最良の形態】
【００１４】
以下、この発明の実施の形態を、添付図面を参照して説明する。
【００１５】
（実施の形態１）
図１は、実施の形態１に係るインデックス用紙１を示す斜視図である。インデックス用紙１は、ロール状のインデックス用紙からなっていて、これから後述するカルテファイルの見出し部に挿入して使用するインデックスが形成され、医療機関などで患者情報等のファイル管理の用に供される。
【００１６】
インデックス用紙１は、中空円筒状のロール芯２の外周に巻かれてロール状に成形されており、ロール巻き出し方向に沿って、折り畳み用のミシン目３，４が幅方向に所定間隔をおいて２個、平行に刻設されている。ここではインデックス用紙１をロール芯２のあるものとして説明したが、ほかにロール芯２がないコアレスタイプのインデックス用紙であってもよい。
【００１７】
インデックス用紙１は、ミシン目３，４で、３つの印刷領域Ａ，Ｂ，Ｃに隔成されている。これらの印刷領域Ａ，Ｂ，Ｃの幅は、例えばそれぞれ１５ｍｍ，１６ｍｍ，１５ｍｍに設定されている。ミシン目３，４は、印刷領域を隔成するよう幅方向に所定間隔をおいて複数個、平行に刻設されていればよく、個数に限定されるわけではないし、その幅も互いに近似していれば任意である。
【００１８】
このように構成されたインデックス用紙１によれば、ミシン目３，４で印刷領域Ａ，Ｂ，Ｃが隔成されているため、その印刷領域に所定の情報を印刷し、表示が必要とされる情報を選択して、その情報が印刷された印刷領域を上にして折り畳むことができ、折り畳み方次第で表に見える部分が変わるため様々なファイル管理のニーズに応えることが可能となり汎用性が増す。
【００１９】
図２は、インデックス用紙１から作成されるインデックス１０を示す平面図である。インデックス１０は、縦の高さ１１０ｍｍ、横の幅４６ｍｍの矩形形状を呈している。
【００２０】
インデックス１０は、印刷領域Ａ，Ｂと対応する情報印刷部１０ａ、１０ｂに同一のファイル識別番号（１，２，３，０，１）が印刷され、印刷領域Ｃと対応する情報印刷部１０ｃに患者の氏名（鈴木一郎）が印刷されている。
【００２１】
ファイル識別番号は、新規患者の来院時に患者毎に振り当てられる番号であって、患者の氏名、住所、電話番号、診療報酬点数などの患者情報を１ファイルにまとめるために振り当てられる番号である。また、このファイル識別番号は、カルテ番号や診察券番号と一致させて、または関連付けて他の患者情報と一緒にデータベース化されて、後述するレセプトコンピュータ内に格納されている。
【００２２】
また、情報印刷部１０ａ，１０ｂのファイル識別番号の下二桁（０，１）が印刷される部分には、ファイル識別番号の該当する番号に応じて、または関連付けて色分けされた色が施されている。
【００２３】
この着色される色は、該当する番号に応じて、または関連付けて色分けされているうえ、ファイル識別番号は同一であるため、２つの情報印刷部１０ａ，１０ｂに亘って同一の色が着色されている。以下、下一桁（１）目に着色されている部分を着色部１０ｄ，下二桁（０）目に着色されている部分を着色部１０ｅという。
【００２４】
着色部１０ｄが同一色のカルテファイルは同一の区分棚に収納し、同一の区分棚内ではファイル識別番号の下二桁目の数字順にファイルが並ぶように、または着色部１０ｅの色別に並ぶように収納するなど、このインデックス１０の着色部１０ｄ、１０ｅの色をファイル識別番号や収納棚と関連付けて収納すれは、ファイルの管理が容易かつ確実に行なえるので便利である。
【００２５】
なお、図２に示したインデックス１０において、ファイル識別番号、患者氏名は、ゴシック体の縦書き表示で示したが、書体及びフォント、縦書き横書きの別などは何でもよく、患者氏名もカタカナ、ひらがな表記などであっても構わない。
【００２６】
また、着色部は、情報印刷部１０ａ，１０ｂのファイル識別番号の下二桁が印刷される部分に限定されるわけではなく、インデックス１０の情報印刷部１０ａ，１０ｂ，１０ｃのどこかに所定の方式に従って決定された色が着色されていれば構わない。
【００２７】
（実施の形態２）
図３は、実施の形態２であるインデックス用紙１’を示す斜視図である。図４は、図３のインデックス用紙１’から作成されるインデックス１０’を示す平面図である。
【００２８】
インデックス用紙１’は、ミシン目３と隣接して、これらミシン目３，４と平行にマイクロミシン目５が刻設され、該マイクロミシン目で隔てられた余白領域Ｄが、印刷領域Ａの外側に形成されている点でインデックス用紙１と相違し、そのほかの構成はインデックス用紙１と略同様であるので同様の部分には同様の符号を付し、詳しい説明は省略する。余白領域Ｄは、その幅が７ｍｍに設定されている。なお、余白領域Ｄは、印刷領域Ａの外側でなく、それと反対側の印刷領域Ｃの外側に形成しても構わないし、あるいは印刷領域Ａ，Ｃの両外側に形成しても構わない。
【００２９】
インデックス用紙１’から作成されるインデックス１０’は、着色部１０ｄ，１０ｅがマイクロミシン目５を越え印刷領域Ａと対応する情報印刷部１０ａからはみ出して余白領域Ｄに掛かるようにして印刷されている。
【００３０】
インデックス１０’からマイクロミシン目５に沿って余白領域Ｄを切り離せば、図２で示したインデックス１０と略同一のものを作成することができる。このとき、この余白領域Ｄは、ミシン目３，４より目の細かいマイクロミシン目５で、印刷領域Ａと対応する情報印刷部１０ａと仕切られているので、手で簡単に、かつ切断後の端面を綺麗に切り離すことができる。
【００３１】
通常、縁なし印刷に対応していないプリンタでは、用紙の巻き出し方向に対する全幅いっぱいには印刷することができないので、インデックスに着色を施した場合には、幅方向の端に空白ができてしまい見栄えが悪いものであるが、実施の形態２では、余白領域Ｄに掛かるように着色部１０ｄ，１０ｅを印刷しておき、その後余白領域Ｄを切り離すことによりインデックス１０’を作成することができるのでこのような問題点がない。
【００３２】
次に、実施の形態１，２のインデックス用紙１又は１’からインデックス１０又は１０’を作成する方法について、図５，６を参照して説明する。
【００３３】
先ず、インデックス用紙１又は１’をプリンタ２３に装着する。次に、このプリンタに電気通信回線で接続されたコンピュータ２２からの指令により、前述のファイル識別番号と関連付けて患者情報としてデータベース２１に登録している情報から必要な情報を抽出して出力し、インデックス用紙１又は１’の印刷領域Ａ，Ｂ，Ｃの情報印刷部１０ａ，１０ｂ，１０ｃにそれぞれ印刷する。そして、この情報印刷部１０ａ，１０ｂ，１０ｃを残して、インデックス用紙１又は１’をそのロール巻き出し側の端部である、図１，３の線Ｘ−Ｘの位置でプリンタ２３に備えられているオートカッタ２３ａにより自動切断する。
【００３４】
このようにインデックス用紙１又は１’からプリンタ２３のオートカッタ２３ａで切り離して図２又は図４で示す矩形のインデックス１０又は１０’を作成する。このようなインデックス作成方法によれば、ロール状のインデックス用紙１又は１’からインデックス１０又は１０’を作成するので、必要な時に所定の患者情報が印刷された１ファイル毎のインデックスを１枚ずつ印刷することができ、このためインデックス用紙の無駄が発生しない。
【００３５】
なお、インデックス用紙１又は１’の切断は、情報印刷部１０ａ，１０ｂ，１０ｃを残して綺麗にロール巻き出し方向に沿って垂直に切断できれば問題がない。例えば、プリンタ２３の排紙部等に備えられた切刃（図示せず）を使用して手で切り取ってもよく、または、インデックス用紙１又は１’に、ロール巻き出し方向に沿って垂直な切り離し用のマイクロミシン目（図示せず）が所定間隔を隔てて複数個平行に刻設されており、手でこのマイクロミシン目に沿って切断するようにしてもよい。
【００３６】
次に、前記のようにしてインデックス用紙１又は１’からインデックス１０又は１０’を作成する装置について、図５，６により説明する。図５は、インデックス作成装置２０を示すブロック図であり、図６は、それを構成するレセプトコンピュータ、データベース、プリンタの接続状態を示す説明図である。
【００３７】
インデックス作成装置２０は、前述の患者情報が登録されたデータベース２１を有するレセプトコンピュータ２２と、該レセプトコンピュータに電気通信回線を通じて接続されたプリンタ２３とから構成されている。
【００３８】
レセプトコンピュータ２２は、コンピュータ本体２２ａと、該コンピュータ本体に接続された表示装置２２ｂ及び入力装置２２ｃとを有している。コンピュータ本体２２ａには、記憶装置２２ｄと、該記憶装置に格納されたプログラムを実行するＣＰＵ２２ｅとが設けられている。記憶装置２２ｄには、前述のデータベース２１が格納されている。このように、レセプトコンピュータ２２は、市販のコンピュータと同様に構成されている。
【００３９】
データベース２１には、患者の氏名、性別、住所、電話番号、診療報酬点数などの種々の患者情報と、前述のファイル識別番号とが関連付けられて登録されている。そして、図５で示すインデックス作成装置２０では、このデータベース２１は、レセプトコンピュータ２２の記憶装置２２ｄに格納されているが、図６で示すように、レセプトコンピュータ２２と接続された他のコンピュータ（例えばサーバコンピュータ）内に格納されていてもよいし、レセプトコンピュータ２２と接続された外部記憶装置に格納されていてもよい。つまり、レセプトコンピュータ２２とデータベース２１とが無線有線を問わず相互通信可能な状態（アクセス可能な状態）で接続されていればよい。
【００４０】
レセプトコンピュータ２２には、複数の患者間で重複しないよう患者毎に前述のファイル識別番号を１つ付与する機能が備えられている。この機能は、時系列的に前回登録された患者のファイル識別番号と昇順又は降順に連続するようにファイル識別番号を付与するプログラムを記憶装置２２ｄに格納し、そのプログラムによりＣＰＵ２２ｅにより実行されるよう（以下、単にプログラミングという）にしてもよいし、所定の法則でファイル識別番号が決定され、その番号がデータベース２１に存在しないことを確認するようにプログラミングされていてもよい。また、人為的にこれらの操作を行なってもよい。
【００４１】
更に、レセプトコンピュータ２２では、データベース２１から必要な患者情報を抽出して、プリンタ２３に印刷データ、例えば、図２で示したように、インデックス用紙１の情報印刷部１０ａ，１０ｂにファイル識別番号を出力し、情報印刷部１０ｃには、患者の氏名を漢字で出力し、着色部１０ｄ，１０ｅに所定の着色を施すようプログラミングすることができる。また、これらの操作を入力装置２２ｃから入力して人為的に行なってもよい。
【００４２】
図５に示すプリンタ２３は、オートカッタ２３ａが備えられている。このため、レセプトコンピュータ２２の指令により、情報印刷部１０ａ，１０ｂ，１０ｃにデータベース２１から抽出した患者情報を印刷するとともに、インデックス用紙１のロール巻き出し側の端部である、ロール紙先端から所望の長さを隔ててミシン目３，４に対し垂直な直線Ｘ−Ｘ（図１参照）で、１ファイル分の印刷が終了する度に自動的に切断する。
【００４３】
このプリンタ２３は、ロール紙印刷に対応したものであれば市販のプリンタでよい。例えば、エプソン製のインクジェットプリンタ（ＴＭ−Ｃ１００）であれば実施の形態１，２のものに適用することができる。しかし、用紙の紙質に適合する種類のプリンタであればよく、レーザープリンタやサーマルプリンタでもよい。
【００４４】
また、プリンタ２３は、レセプトコンピュータ２２には直接接続されていなくてもよく、図６で示すように、レセプトコンピュータ２２との間にＬＡＮ、インターネット等のネットワークを介して他のコンピュータ（端末ＰＣ）に接続されるものでも構わない。つまり、プリンタ２３は、レセプトコンピュータ２２に有線又は無線を問わず電気通信回線を通じて接続されていれば、直接ローカルケーブル等で接続されていなくてもよい。前記端末ＰＣには、レセプトコンピュータ２２のデータベース２１から必要な患者情報を抽出して、プリンタ２３に印刷データとして出力する指令を発する機能が備えられている。
【００４５】
このように構成されているインデックス作成装置２０によれば、データベース２１を有するレセプトコンピュータ２２から、又は他のコンピュータから、データベース２１に所定の患者情報を入力するだけ、図１又は図３で示したインデックス用紙１又は１’から図２又は図４で示したインデックス１０又は１０’を自動的に、又は人為的に入力装置２２Ｃから指令を発して作成することができる。尚、前記端末ＰＣとレセプトコンピュータ２２は同一の場合もあるので、その場合には同一ＰＣとしてもよい。
【００４６】
次に、図２、図４で示したインデックス１０又は１０’の用途について説明する。このインデックス１０又は１０’は、前述のように、医療機関などで使われるカルテなどの患者情報のファイル管理の用に供せられるカルテファイルに使用するインデックスである。
【００４７】
図７は、このインデックス１０又は１０’がカルテファイル３０に挿入されたある状態を示した説明図であり、左側が表面の略半部、右側が裏面の略半部をそれぞれ示す。
【００４８】
カルテファイル３０は、厚さ０．２ｍｍ〜０．３ｍｍ程度の市販のポリプロピレン製クリアファイルである。このカルテファイル３０は、大きさなどは特に限定されないがＡ４程度の大きさであり、全体が略矩形状のファイル本体３１と、該ファイル本体のいずれか一辺に一体に突出形成された１２０ｍｍ×２０ｍｍ程度の略台形状の見出し部３２とから構成されている。
【００４９】
見出し部３２には、インデックス１０を折り畳んで挿入する袋状の挿入部３３が形成されている。この挿入部３３には、挿入口３３ａが設けられ、この挿入口３３ａからインデックス１０を挿入部３３に出し入れできるようになっている。
【００５０】
見出し部３２の表面は、ポリプロピレン等の透明若しくは半透明の素材からできているので、図２、図４で示したインデックス１０又は１０’のいずれかの所定領域を上にして折り畳み挿入すると、その所定領域に印刷された患者情報を表示することができる。また、裏面も同様である。
【００５１】
例えば、図２、図４で示したインデックス１０又は１０’のように、情報印刷部１０ａ，１０ｂに患者のファイル識別番号を印刷し、情報印刷部１０ｃに患者氏名を印刷したインデックスの場合には、情報印刷部１０ｂを表面にし、裏面を情報印刷部１０ｃが表示されるように折り畳んで挿入口３３ａから挿入部３３に挿入すると、図７に示すように、カルテファイル３０の見出し部３２の表面に患者のファイル識別番号が、裏面に患者の氏名が表示される。
【００５２】
ところで、個人情報保護法が施行されてから、患者や外部の目にも触れる可能性のある場所には、患者名が外から把握可能な状態でカルテファイルを保管することが避けられる風潮にある。しかし、このインデックス１０又は１０’を使用すれば、患者など不特定多数の人から見える側には、ひと目では、患者を特定できないファイル識別番号が表示され、他方からは、特定の患者のファイルであることが、一目瞭然な患者氏名が表示された状態でカルテファイル３０を収納することができ、カルテファイルの検索性を保ちつつ匿名性をも確保できる。また、情報印刷部１０ａを表面にし、情報印刷部１０ｂを裏面にし、内側に患者氏名の印刷された情報印刷部１０ｃ折り込み、表裏面ともファイル識別番号が表示されるようにすると、より匿名性を確保することができる。
【００５３】
このように、インデックス１０又は１０’によれば、畳み方次第でインデックスの表示する情報印刷部、つまり表示する患者情報を選ぶことができるため、様々な医療機関のカルテファイル保管ニーズに応えられ、インデックス用紙の汎用性が増す。
【図面の簡単な説明】
【００５４】
【図１】この発明の実施の形態１に係るインデックス用紙を示す斜視図である。
【図２】同上のインデックス用紙から作成されたインデックスを示す平面図である。
【図３】実施の形態２に係るインデックス用紙を示す斜視図である。
【図４】同上のインデックス用紙から作成されたインデックスを示す平面図である。
【図５】インデックス作成装置を示すブロック図である。
【図６】インデックス作成装置の異なる使用方法を説明する図面である。
【図７】作成されたインデックスをカルテファイルの見出し部に挿入した状態を示す図面で、左側が表面の略半部、右側が裏面の略半部をそれぞれ示す。
【符号の説明】
【００５５】
１，１’                インデックス用紙
３，４                  ミシン目
５                      マイクロミシン目
１０，１０’            インデックス
Ａ，Ｂ，Ｃ              印刷領域
Ｄ                      余白領域
１０ａ，１０ｂ，１０ｃ  情報印刷部
１０ｄ、１０ｅ          着色部
２０                    インデックス作成装置
２１                    データベース
２２                    レセプトコンピュータ
２３                    プリンタ
２３ａ                  オートカッタ
３０                    カルテファイル
３２                    見出し部
３３                    挿入部
【図１】
2007118384.tif 000003
【図２】
2007118384.tif 000004
【図３】
2007118384.tif 000005
【図４】
2007118384.tif 000006
【図５】
2007118384.tif 000007
【図６】
2007118384.tif 000008
【図７】
2007118384.tif 000009